(57)【要約】【課題】漏話のない波長分割多重方式の受動型光加入者網とその漏話除去方法を提供する。【解決手段】  チャンネル別の光注入式光源に注入するための注入光を供給する相異なる帯域を有する少なくとも２つの広帯域光源(310,311,313,314)と、前記それぞれの広帯域光源から相異なる帯域を有するそれぞれの注入光を受光し、奇数番目のチャンネル光注入式光源と偶数番目のチャンネル光注入式光源にそれぞれ注入して、奇数番目のチャンネルと偶数番目のチャンネルを相異なるスペクトル帯域に属するように配列して前記チャンネル別に多重化して送信する送信装置(中央基地局または遠隔ノード)と、前記送信装置から送信された多重化信号をそれぞれのチャンネル別に分離して奇数番目のチャンネル別の信号と偶数番目のチャンネル別の信号がそれぞれ相異なるスペクトル帯域に属するように受信する受信装置(遠隔ノードまたは中央基地局)と、を備える。【選択図】図３Ａ
2006217599.tif 000002
【特許請求の範囲】
【請求項１】
光注入式光源を用いる波長分割多重方式の受動型光加入者網であって、
チャンネル別の光注入式光源らに注入するための注入光を供給する相異なる帯域を有する少なくとも２つの広帯域光源と、
前記それぞれの広帯域光源から相異なる帯域を有するそれぞれの注入光を受光し、当該注入光を、奇数番目のチャンネル光注入式光源と偶数番目のチャンネル光注入式光源とにそれぞれ注入して、当該奇数番目のチャンネルと偶数番目のチャンネルとを相異なるスペクトル帯域に属するように配列し、前記チャンネル別に多重化して送信するための送信装置と、
前記送信装置から送信された多重化信号をそれぞれのチャンネル別に分離して、奇数番目のチャンネル別の信号と偶数番目のチャンネル別の信号とがそれぞれ相異なるスペクトル帯域に属するように、前記多重化信号を受信するための受信装置と、
を備えることを特徴とする、漏話のない波長分割多重方式の受動型光加入者網。
【請求項２】
前記受信装置は、
前記チャンネル別に受信するためのそれぞれのチャンネル別の受信部のうち奇数番目のチャンネル受信部に前記送信装置の奇数番目のチャンネルに注入された光帯域光源の帯域を通過させるための第１の帯域通過フィルタと、
前記チャンネル別に受信するためのそれぞれのチャンネル別の受信部のうち偶数番目のチャンネル受信部に前記送信装置の偶数番目のチャンネルに注入された光帯域光源の帯域を通過させるための第２の帯域通過フィルタと、を備える
ことを特徴とする請求項１に記載の漏話のない波長分割多重方式の受動型光加入者網。
【請求項３】
前記光注入式光源は、ファブリー・ペローレーザダイオードである
ことを特徴とする請求項１又は２に記載の漏話のない波長分割多重方式の受動型光加入者網。
【請求項４】
前記光注入式光源は、波長注入式の反射型半導体光増幅器（Ｒ−ＳＯＡ）である
ことを特徴とする請求項１又は２に記載の漏話のない波長分割多重方式の受動型光加入者網。
【請求項５】
前記送信装置は遠隔ノードであり、前記受信装置は中央基地局である
ことを特徴とする請求項１又は２に記載の漏話のない波長分割多重方式の受動型光加入者網。
【請求項６】
前記送信装置は中央基地局であり、前記受信装置は遠隔ノードである
ことを特徴とする請求項１又は２に記載の漏話のない波長分割多重方式の受動型光加入者網。
【請求項７】
前記送信装置は、前記それぞれの広帯域光源から相異なる帯域を有するそれぞれの注入光を受光し、奇数番目のチャンネル光注入式光源と偶数番目のチャンネル光注入式光源にそれぞれ注入して奇数番目のチャンネルと偶数番目のチャンネルを相異なるスペクトル帯域に属するように配列するために、
前記それぞれの広帯域光源から相異なる帯域を有するそれぞれの注入光を受光し、それぞれ２つの信号に分離する２つのインタリーバと、
前記２つのインタリーバからそれぞれ一つの信号を受け取り、それぞれの注入光によって奇数番目のチャンネルと偶数番目のチャンネルに分離して出力する２つの多重化／逆多重化器と、
を備えることを特徴とする請求項１又は２に記載の漏話のない波長分割多重方式の受動型光加入者網。
【請求項８】
前記受信装置は、前記送信装置から送信された多重化信号をそれぞれのチャンネル別に分離して奇数番目のチャンネル別の信号と偶数番目のチャンネル別の信号がそれぞれ相異なるスペクトル帯域に属するように受信するために、
前記送信装置から相異なる帯域を有する注入光として固定された送信信号をそれぞれ受け取り、それぞれ２つの信号に分離する２つのインタリーバと、
前記２つのインタリーバからそれぞれ一つの信号を受け取り、それぞれの送信信号によって奇数番目のチャンネルと偶数番目のチャンネルに分離して出力する２つの多重化／逆多重化器と、
を備えることを特徴とする請求項１又は２に記載の漏話のない波長分割多重方式の受動型光加入者網。
【請求項９】
前記それぞれの広帯域光源は、自由スペクトル間隔（ＦＳＲ）だけ離間している
ことを特徴とする請求項１又は２に記載の漏話のない波長分割多重方式の受動型光加入者網。
【請求項１０】
光注入式光源を用いる波長分割多重方式の受動型光加入者網における漏話を無くすための方法であって、
チャンネル別の光注入式光源らに注入するための注入光を供給する相異なる帯域を有する少なくとも２つの広帯域光源を規定するステップと、
前記それぞれの広帯域光源から相異なる帯域を有するそれぞれの注入光を受光し、奇数番目のチャンネル光注入式光源と偶数番目のチャンネル光注入式光源にそれぞれ注入し、奇数番目のチャンネルと偶数番目のチャンネルを相異なるスペクトル帯域に属するように配列して前記チャンネル別に多重化して送信するステップと、
前記送信された多重化信号をそれぞれのチャンネル別に分離して奇数番目のチャンネル別の信号と偶数番目のチャンネル別の信号がそれぞれ相異なるスペクトル帯域に属するように受信するステップと、
を含むことを特徴とする光注入式光源を用いる波長分割多重方式の受動型光加入者網における漏話の除去方法。
【請求項１１】
前記受信するステップは、前記相異なるスペクトル帯域をフィルタリングするステップをさらに含む
ことを特徴とする請求項１０に記載の光注入式光源を用いる波長分割多重方式の受動型光加入者網における漏話の除去方法。
【発明の詳細な説明】
【技術分野】
【０００１】
本発明は、波長分割多重方式の受動型光加入者網に関し、特に、温度の変化によらずにファブリー・ペローレーザの波長注入を保持する波長分割多重方式の受動型光加入者網に関する。
【背景技術】
【０００２】
将来の広帯域通信サービスを提供するための次世代加入者網として、波長分割多重方式の受動型光加入者網（wavelength division multiplexed passive optical network：ＷＤＭ−ＰＯＮ）についての関心が高まるに伴い、その経済的な実現のための努力がなされている。
【０００３】
このように、ＷＤＭ−ＰＯＮは、各加入者に別途の波長を割り当てるため、各加入者用の波長分割多重方式の光源と、該光源から発せられた多数の波長チャンネルのための多重化／逆多重化器（ＭＵＸ／ＤｅＭＵＸ）が必要となる。かかる波長分割多重方式の光源と多重化／逆多重化器との波長整列を経済的な方法にて実現することは、網のメンテナンスコストを削減する上で極めて重要である。
【０００４】
一般に、このようなＷＤＭ−ＰＯＮに用いられる波長分割多重方式の光源としては、分布帰還レーザアレイ、高出力発光ダイオード、及びスペクトル分割光源などが提案されている。しかしながら、最近では、光源のメンテナンスが容易に行えるように、光源の波長が（光源自体によって決められるのではなく、）外部から注入される光によって決められる光注入型光源として、外部光注入式のファブリー・ペローレーザダイオード（Fabry-Perot laser diode:ＦＰ−ＬＤ）や、波長注入式の反射型半導体光増幅器（reflective semiconductor optical amplifier：Ｒ−ＳＯＡ）などが、新たに提案されている。
【０００５】
この種の光注入型光源の長所は、当該光源の波長が外部から注入される光によって決められるため、１種類の光源を多数の波長チャンネルに別途の調整なしに用いることができるということである。このため、光源と多重化／逆多重化器との波長整列が不要になるため、網の運営及びメンテナンスをより簡単にすることが可能となる。
【０００６】
通常、ＷＤＭ−ＰＯＮは、広い帯域幅、優れたセキュリティ性、通信規約への無依存性など、種々のメリットを有している。しかしながら、多数の光源が必要となるため、装置コストが増加する。また、多数の波長チャンネルを一つにまとめて伝送し、且つ、一つにまとめられて伝送された信号を多数の波長チャンネルに分離するために、多重化／逆多重化器を用いる必要があり、これにより、隣接波長チャンネルによる漏話（cross-talk）が生じやすい、という欠点があった。
【０００７】
特に、光源として光注入型光源（例えば、ＦＰ−ＬＤまたはＲ−ＳＯＡ）を用いたＷＤＭ−ＰＯＮにおいて、中央基地局とその外部の遠隔ノード（remote node）との間の多重化／逆多重化器において多重化／逆多重化される波長チャンネルが不完全に整列されている場合には、隣接波長チャンネルによって漏話が起こる、という不具合が生じていた。
【発明の開示】
【発明が解決しようとする課題】
【０００８】
本発明は上記の事情に鑑みてなされたものであり、その目的は、光注入型光源を用いたＷＤＭ−ＰＯＮにおいて、中央基地局と遠隔ノードの多重化／逆多重化器の波長チャンネルの不完全な整列による隣接チャンネル間の漏話を除去することのできる漏話のないＷＤＭ−ＰＯＮとその漏話の除去方法を提供するところにある。
【課題を解決するための手段】
【０００９】
上記の目的を達成するために、本発明は、光注入式光源を用いる波長分割多重方式の受動型光加入者網（ＷＤＭ−ＰＯＮ）であって、チャンネル別の光注入式光源らに注入するための注入光を供給する相異なる帯域を有する少なくとも２つの広帯域光源と、前記それぞれの広帯域光源から相異なる帯域を有するそれぞれの注入光を受光し、当該注入光を、奇数番目(ｏｄｄ)のチャンネル光注入式光源と偶数番目(ｅｖｅｎ)のチャンネル光注入式光源とにそれぞれ注入して、当該奇数番目のチャンネルと偶数番目のチャンネルとを相異なるスペクトル帯域に属するように配列（array）し、前記チャンネル別に多重化して送信するための送信装置と、前記送信装置から送信された多重化信号をそれぞれのチャンネル別に分離して、奇数番目のチャンネル別の信号と偶数番目のチャンネル別の信号とがそれぞれ相異なるスペクトル帯域に属するように、前記多重化信号を受信するための受信装置と、を備える。
【００１０】
また、本発明は、光注入式光源を用いる波長分割多重方式の受動型光加入者網（ＷＤＭ−ＰＯＮ）における漏話を無くすための方法であって、チャンネル別の光注入式光源らに注入するための注入光を供給する相異なる帯域を有する少なくとも２つの広帯域光源を規定（provide）するステップと、前記それぞれの広帯域光源から相異なる帯域を有するそれぞれの注入光を受光し、奇数番目のチャンネル光注入式光源と偶数番目のチャンネル光注入式光源にそれぞれ注入し、奇数番目のチャンネルと偶数番目のチャンネルを相異なるスペクトル帯域に属するように配列して前記チャンネル別に多重化して送信するステップと、前記送信された多重化信号をそれぞれのチャンネル別に分離して奇数番目のチャンネル別の信号と偶数番目のチャンネル別の信号がそれぞれ相異なるスペクトル帯域に属するように受信するステップと、を含む。
【発明の効果】
【００１１】
本発明によれば、提案された漏話の無い光注入型ＷＤＭ−ＰＯＮの構造を提供することにより、中央基地局と遠隔ノードに位置する多重化／逆多重化器の不完全な整列による漏話を効率良く回避できる、という効果が得られる。
【００１２】
さらに、本発明によれば、多重化／逆多重化器の波長整列が不要になるか、あるいは、波長整列に対する要求条件が緩和されることから、ＷＤＭ−ＰＯＮを経済的に実現できる、という効果が得られる。
【発明を実施するための最良の形態】
【００１３】
以下、添付図面を参照して、本発明の好適な実施の形態について詳細に説明する。各図において、同一または同等の構成要素については、それらが他の図面に示されている場合であっても、可能な限り同じ参照符号を付して、重複した説明を適宜省略する。また、下記の説明及び添付図面において、本発明の要旨を不明確にする公知の技術及び構成についての詳細な説明は省略する。
【００１４】
以下に説明する本発明の実施形態は、外部光を注入する方式の光源（例えば、外部光注入式のファブリー・ペローレーザダイオード（Fabry-Perot laser diode:ＦＰ−ＬＤ）や、或いは波長注入式の反射型半導体光増幅器（wavelength-seeded reflective semiconductor optical amplifier:Ｒ−ＳＯＡ）、など）を用いたＷＤＭ−ＰＯＮにおいて、中央基地局と遠隔ノードとの多重化／逆多重化器の不完全な波長整列による隣接チャンネル間の漏話を無くすための構成（構造）と、その方法に関する。
【００１５】
図１Ａは、本発明の実施の形態による外部光注入式の光源（以下、単に「光注入式光源」ともいう。）を用いたＷＤＭ−ＰＯＮの上り（アップストリーム）伝送構造を示すブロック図である。
【００１６】
図１Ａに示すように、本発明によるＷＤＭ−ＰＯＮは、中央基地局と遠隔ノードに用いられる多重化／逆多重化器において、自由スペクトル間隔（Free Spectral Range；ＦＳＲ）だけ離間している２つの波長帯域を用いる構成が提案される。
【００１７】
このＷＤＭ−ＰＯＮでは、先ず、上り光源を形成するために注入される光源として、第１の帯域を有する第１の広帯域光源１１２と、第２の帯域を有する第２の広帯域光源１１３とが用いられる。そして、第１の広帯域光源１１２から出力された注入光と、第２の広帯域光源１１３から出力された注入光は、結合用ＷＤＭフィルタ１１１を通じてサーキュレータ１１０に供給される構成となっている。これら各光素子１１０〜１１３は、中央基地局内に設けられる。
【００１８】
それぞれの広帯域光源を上り光源として使用するために光を注入する過程を説明すると、第１の広帯域光源１１２で生成され出力された広い線幅（line-width）を有する注入光は、結合用ＷＤＭフィルタ１１１及びサーキュレータ１１０を介して伝送光ファイバ１３０を経て、第１のＷＤＭフィルタ１２０から第２のインタリーバ（interleaver）１１５へと伝達される。ここで、インタリーバ（１０７，１０８，１１４，１１５）は、入力光を２つの出力ポートを介して奇数番目のチャンネルＯＤＤ（図中では「o」で表記）と偶数番目のチャンネルＥＶＥＮ（図中では「e」で表記）とに分離して出力する素子である。本発明の実施の形態において用いられるインタリーバ１０７，１０８，１１４，１１５は、多重化／逆多重化器１０５，１０６，１１６，１１７と同一のチャンネルに基づいて動作する。また、本発明の実施の形態において用いられる多重化／逆多重化器１０５，１０６，１１６，１１７は、２ｘＮ型であり、図１Ａに示すように、片側（すなわちインタリーバと接続される側）に２つの入出力ポートを有している。
【００１９】
そして、第２のインタリーバ１１５の偶数番目（e）のポートから出力された注入光は、接続されている第１の多重化／逆多重化器１１６において波長によってチャンネル別に分離され出力されるが、第２のポートから入力されるため、第１の多重化／逆多重化器１１６の奇数番目のチャンネルらに出力され、対応する奇数番目のチャンネルの光注入型光源らに、注入光として入力される。ここで、光注入型光源は、ＦＰ−ＬＤまたはＲ−ＳＯＡなどが用いられる。
【００２０】
一方、第２のインタリーバ１１５の奇数番目（o）のポートから出力された注入光は、接続されている第２の多重化／逆多重化器１１７において波長によってチャンネル別に出力されるが、第１のポートから入力されるため、該多重化／逆多重化器１１７の奇数番目のチャンネルらに出力され、対応する奇数番目のチャンネルの光注入型光源らに、注入光として入力される。ここで、光注入型光源は、ＦＰ−ＬＤまたはＲ−ＳＯＡなどが用いられる。また、この光注入型光源は、加入者の自宅内等に配置される。
【００２１】
換言すると、第１の帯域を有する第１の広帯域光源１１２は、それぞれの多重化／逆多重化器１１６，１１７においてスペクトル分割された奇数番目のチャンネル１１８−１，１１９−１の波長を固定する。
【００２２】
同様に、第２の帯域を有する第２の広帯域光源１１３から発せられた広い線幅を有する注入光は、第１のインタリーバ１１４の偶数番目（e）と奇数番目（o）のポートから出力され、それぞれの多重化／逆多重化器１１６，１１７においてチャンネル別に出力されて偶数番目のチャンネルの光注入型光源らに注入光として入力される。ここで、光注入型光源は、ＦＰ−ＬＤまたはＲ−ＳＯＡなどが用いられる。
【００２３】
換言すると、第２の帯域を有する第２の広帯域光源１１３は、それぞれの多重化／逆多重化器１１６，１１７においてスペクトル分割された偶数番目のチャンネル１１８−２，１１９−２の波長を固定する。
【００２４】
上述した方法によって、遠隔ノードの２ｘＮ本の波長チャンネルは、奇数番目のチャンネルを固定した第１の帯域の波長と、偶数番目のチャンネルを固定した第２の帯域の波長とが、交互に配列される。
【００２５】
このようにして配列された遠隔ノードの波長チャンネルは、ＦＰ−ＬＤまたはＲ−ＳＯＡから出力され、多重化／逆多重化器（１１６，１１７）及びインタリーバ（１１４，１１５）を上述とは逆方向に進行し、第１のＷＤＭフィルタ１２０において多重化され、１本の伝送光ファイバ１３０及びサーキュレータ１１０を介して中央基地局に上り光信号として伝送され、中央基地局では同様に、第２のＷＤＭフィルタ１０９において逆多重化され、それぞれの受信器らに入力される。
【００２６】
すなわち、第１の広帯域光源１１２の注入光が注入された多重化された上り光信号は、伝送光ファイバ１３０及びサーキュレータ１１０を介して、中央基地局の第２のＷＤＭフィルタ１０９から第３のインタリーバ１０８へと伝達される。
【００２７】
そして、第３のインタリーバ１０８の偶数番目（e）のポートから出力された上り光信号は、接続されている第４の多重化／逆多重化器１０５において波長によってチャンネル別に分離されて出力されるが、第２のポートから入力されるため、この注入光は、第４の多重化／逆多重化器１０５の奇数番目のチャンネルらに出力され、対応する奇数番目のチャンネルの光受信器（例えば１０１−１）に入力される。このとき、図１Ａに示すように、光受信器１０１−１の前段には、漏話を防止すべく第１の帯域の波長を通過させる第１の帯域通過フィルタ１０３−１が介在されており、これにより漏話が防止される。
【００２８】
さらに、第３のインタリーバ１０８の奇数番目（o）のポートから出力された上り光信号は、接続されている第３の多重化／逆多重化器１０６において波長によってチャンネル別に分離されて出力されるが、第１のポートから入力されるため、この注入光は、第３の多重化／逆多重化器１０６の奇数番目のチャンネルらに出力され、対応する奇数番目のチャンネルの光受信器ら（例えば１０２−１）に入力される。このとき、光受信器１０２−１の前段には、第１の帯域の波長を通過させる第１の帯域通過フィルタ１０４−１が設けられており、これにより漏話が防止される。
【００２９】
一方、第４のインタリーバ１０７の奇数番目（o）のポートから出力された上り光信号は、接続されている第３の多重化／逆多重化器１０６において波長によってチャンネル別に分離されて出力されるが、第２のポートから入力されるため、第３の多重化／逆多重化器１０６の偶数番目のチャンネルらに出力され、対応する偶数番目のチャンネルの光受信器ら（例えば１０２−２）に入力される。このとき、光受信器１０２−２の前段には、第２の帯域の波長を通過させる第２の帯域通過フィルタ１０４−２が設けられており、これにより漏話が防止される。
【００３０】
さらに、第４のインタリーバ１０７の偶数番目（e）のポートから出力された上り光信号は、接続されている第４の多重化／逆多重化器１０５において波長によってチャンネル別に分離されて出力されるが、第１のポートから入力されるため、第４の多重化／逆多重化器１０５の偶数番目のチャンネルらに出力され、対応する偶数番目のチャンネルらの光受信器（例えば１０１−２）に入力される。このとき、光受信器１０１−２の前段には、第２の帯域の波長を通過させる第２の帯域通過フィルタ１０３−２が設けられており、これにより漏話が防止される。
【００３１】
以上のように、本実施形態では、隣接する各チャンネルを、それぞれ相異なる帯域を有する注入光に固定することによって、隣接チャンネルの光信号による漏話を効率良く回避することが可能になる。換言すると、各チャンネルらが隣接していても、波長は相異なる波長帯域に属するため、多重化／逆多重化器の不完全な整列がある場合であっても、隣接チャンネルの光が受信器に入力されることを、帯域通過フィルタを用いることで容易に回避することが可能になる。
【００３２】
図１Ｂは、本発明の実施の形態による、外部光注入式の光源を用いたＷＤＭ−ＰＯＮの上り伝送構造における、相異なる帯域を有する広帯域光源を説明するための例示図である。
【００３３】
図１Ｂに示すように、本発明の実施の形態において、第１の帯域光源１１２と第２の帯域光源１１３は、ＦＳＲ（自由スペクトル間隔）だけ離間しており、それぞれの帯域内には、奇数番目のチャンネル上り信号と偶数番目のチャンネル上り信号とが含まれる。
【００３４】
図２Ａは、本発明の実施の形態による、外部光注入式の光源を用いたＷＤＭ−ＰＯＮの下り（ダウンストリーム）伝送構造を示すブロック図である。
【００３５】
図２Ａに示すように、本発明に従うＷＤＭ−ＰＯＮは、中央基地局と遠隔ノードに用いられる多重化／逆多重化器においてＦＳＲ（自由スペクトル間隔）だけ離間している２つの波長帯域を用いる構成が提案される。
【００３６】
このＷＤＭ−ＰＯＮでは、下り光源を形成するために注入される光源として、第１の帯域を有する第１の広帯域光源２１０と、第２の帯域を有する第２の広帯域光源２１１とが含まれ、これらは図１Ａの場合と同様に中央基地局内に設けられる。そして、第１の広帯域光源２１０から出力された注入光と、第２の広帯域光源２１１から出力された注入光は、結合用ＷＤＭフィルタ２０９を通じてサーキュレータ２０８に供給される構成となっている。
【００３７】
それぞれの広帯域光源を下り光源として使用するために光を注入する過程を説明すると、第１の広帯域光源２１０で生成され出力された広い線幅（line-width）を有する注入光は、結合用ＷＤＭフィルタ２０９及びサーキュレータ２０８を介して第１のＷＤＭフィルタ２０７から第３のインタリーバ２０６へと伝達される。ここで、インタリーバ（２０５，２０６，２１３，２１４）は、入力光を2つの出力ポートを介して奇数番目のチャンネルＯＤＤと偶数番目のチャンネルＥＶＥＮに分離して出力する素子である。本発明の実施の形態において用いられるインタリーバ２０５，２０６，２１３，２１４は、多重化／逆多重化器２０３，２０４，２１５，２１６と同一のチャンネルに基づいて動作する。また、本発明の実施の形態において用いられる多重化／逆多重化器２０３，２０４，２１５，２１６は、２ｘＮ型であり、図２Ａに示すように、片側（すなわちインタリーバと接続される側）に２つの入出力ポートを有している。
【００３８】
そして、第３のインタリーバ２０６の偶数番目（e）のポートから出力された注入光は、接続されている第１の多重化／逆多重化器２０３において波長によってチャンネル別に分離されて出力されるが、第２のポートに入力されるため、第１の多重化／逆多重化器２０３の奇数番目のチャンネルらから出力され、奇数番目のチャンネルの光注入型光源ら（例えば２０１−１）に、注入光として入力される。ここで、光注入型光源は、ＦＰ−ＬＤまたはＲ−ＳＯＡなどが用いられる。
【００３９】
一方、第３のインタリーバ２０６の奇数番目（o）のポートから出力された注入光は、接続されている第２の多重化／逆多重化器２０４において波長によってチャンネル別に出力されるが、第１のポートから入力されるため、該多重化／逆多重化器２０４の奇数番目のチャンネルらに出力され、対応する奇数番目のチャンネルらの光注入型光源（例えば２０２−１）に、注入光として入力される。ここで、光注入型光源は、ＦＰ−ＬＤまたはＲ−ＳＯＡなどが用いられる。
【００４０】
換言すると、第１の帯域を有する第１の広帯域光源２１０は、それぞれの多重化／逆多重化器２０３，２０４においてスペクトル分割された奇数番目のチャンネル２０１−１，２０２−１の波長を固定する。
【００４１】
同様に、第２の帯域を有する第２の広帯域光源２１１から発せられた広い線幅を有する注入光は、第４のインタリーバ２０５の偶数番目（e）と奇数番目（o）のポートから出力され、それぞれの多重化／逆多重化器２０３，２０４においてチャンネル別に出力されて偶数番目のチャンネルの光注入型光源２０１−２，２０２−２に注入光として入力される。ここで、光注入型光源は、ＦＰ−ＬＤまたはＲ−ＳＯＡなどが用いられる。
【００４２】
換言すると、第２の帯域を有する第２の広帯域光源２１１は、それぞれの多重化／逆多重化器２０３，２０４においてスペクトル分割された偶数番目のチャンネル２０１−２，２０２−２の波長を固定する。
【００４３】
上述した方法によって、中央基地局の２ｘＮ本の波長チャンネルは、奇数番目のチャンネルを固定した第１の帯域の波長と、偶数番目のチャンネルを固定した第２の帯域の波長とが、交互に配列される。
【００４４】
このようにして配列された中央基地局の波長チャンネルは、ＦＰ−ＬＤまたはＲ−ＳＯＡから出力され、多重化／逆多重化器（２０３，２０４）及びインタリーバ（２０５，２０６）を上述とは逆方向に進行し、第１のＷＤＭフィルタ２０７において多重化されて１本の伝送光ファイバ２３０及びサーキュレータ２０８を介して遠隔ノードに下り光信号として伝送され、遠隔ノードでは上述と同様に、第２のＷＤＭフィルタ２１２において逆多重化され、それぞれの受信器２１９−１，２１９−２，２２０−１，２２０−２に入力される。
【００４５】
すなわち、第１の広帯域光源２１０の注入光が注入された多重化された下り光信号は、伝送光ファイバ２３０及びサーキュレータ２０８を介して、遠隔ノードの第２のＷＤＭフィルタ２１２から第２のインタリーバ２１４に伝達される。
【００４６】
そして、第２のインタリーバ２１４の偶数番目（e）のポートから出力された下り光信号は、接続されている第４の多重化／逆多重化器２１５において波長によってチャンネル別に分離されて出力されるが、第２のポートから入力されるため、第４の多重化／逆多重化器２１５の奇数番目のチャンネルらに出力され、対応する奇数番目のチャンネルらの光受信器（例えば２１９−１）に入力される。このとき、図２Ａに示すように、光受信器２１９−１の前段には、漏話を防止するように第１の帯域の波長を通過させる第１の帯域通過フィルタ２１７−１が設けられており、これにより漏話が防止される。
【００４７】
そして、第２のインタリーバ２１４の奇数番目（o）のポートから出力された下り光信号は、接続されている第３の多重化／逆多重化器２１６において波長によってチャンネル別に分離されて出力されるが、第１のポートから入力されるため、該多重化／逆多重化器２１６の奇数番目のチャンネルらに出力され、対応する奇数番目のチャンネルらの光受信器（例えば２２０−１）に入力される。ここで、光受信器２２０−１の前段には、第１の帯域の波長を通過させる第１の帯域通過フィルタ２１８−１が設けられており、これにより漏話が防止される。
【００４８】
一方、第１のインタリーバ２１３の奇数番目（o）のポートから出力された下り光信号は、接続されている第３の多重化／逆多重化器２１６において波長によってチャンネル別に分離されて出力されるが、第２のポートから入力されるため、偶数番目のチャンネルらに出力され、対応する偶数番目のチャンネルらの光受信器（例えば２２０−２）に入力される。このとき、光受信器２２０−２の前段には、第２の帯域の波長を通過させる第２の帯域通過フィルタ２１８−２が設けられており、これにより漏話が防止される。
【００４９】
そして、第１のインタリーバ２１３の偶数番目（e）のポートから出力された下り光信号は、接続されている第４の多重化／逆多重化器２１５において波長によってチャンネル別に分離されて出力されるが、第１のポートから入力されるため、該多重化／逆多重化器２１５の偶数番目のチャンネルらに出力され、対応する偶数番目のチャンネルらの光受信器（例えば２１９−２）に入力される。このとき、光受信器２１９−２の前段には、第２の帯域の波長を通過させる第２の帯域通過フィルタ２１７−２が設けられており、これにより漏話が防止される。
【００５０】
以上のように、本実施形態では、隣接する複数のチャンネルについて、それぞれ相異なる帯域の注入光に固定することによって、隣接チャンネルの光信号による漏話を効率良く回避することが可能になる。換言すると、複数のチャンネルが隣接していても、波長は相異なる波長帯域に属するため、多重化／逆多重化器の不完全な整列がある場合であっても、隣接チャンネルの光が受信器に入力されることを、帯域通過フィルタを用いることで容易に回避することが可能になる。
【００５１】
図２Ｂは、本発明の実施の形態による、外部光注入式の光源を用いたＷＤＭ−ＰＯＮの下り伝送構造における、相異なる帯域を有する広帯域光源を説明するための図である。
【００５２】
図２Ｂに示すように、本発明の実施の形態において、第１の帯域光源１１２と第２の帯域光源１１３は、ＦＳＲ（自由スペクトル間隔）だけ離間しており、それぞれの帯域内には奇数番目のチャンネル下り信号と偶数番目のチャンネル下り信号とが含まれる。
【００５３】
図３Ａは、本発明の実施の形態による、外部光注入式の光源を用いたＷＤＭ−ＰＯＮの上り（アップストリーム）及び下り（ダウンストリーム）伝送構造を示すブロック図である。
【００５４】
図３Ａに示された上り・下り伝送構造の動作原理は、中央基地局及び遠隔ノードのそれぞれの終端に、受信器と光注入光源とが結合された形態の双方向送受信器（Ｂｉｄｉ）３０１−１〜３０１−４，３０２−１〜３０２−４，３２０−１〜３２０−４，３２１−１〜３２１−４を備えている点と、上り・下り注入光を上述のサーキュレータ１１０または２０８ではなく、方向性カプラー（directional coupler）３０８を用いて伝送光ファイバに入力される点を除くと、図１Ａにおける上り伝送構造、及び図２Ａにおける下り伝送構造の場合と同様である。したがって、図３Ａの上記以外のブロックで、図１Ａ，図２Ａの構成に対応する各ブロックについては、図１Ａ，図２Ａで用いた符号を付して、適宜その説明を省略する。
【００５５】
図３Ｂに示すように、図３Ａに示す実施の形態において、上り伝送のための第１の広帯域光源１１２と第２の広帯域光源１１３、下り伝送のための第１の広帯域光源２１０と第２の広帯域光源２１１は、それぞれＦＳＲ（自由スペクトル間隔）だけ離間しており、上り伝送と下り伝送に用いられる帯域間では、ＦＳＲの整数倍だけスペクトル上において離間している。
【００５６】
図４は、図３Ａに示す双方向送受信器（Ｂｉｄｉ）の構成を説明するためのブロック図である。
【００５７】
図４に示すように、図３における双方向送受信器（Ｂｉｄｉ）は、受信器４２と光注入光源４１を備え、受信器４２と光注入光源４１をＷＤＭフィルタ４１３に接続する構成となっている。
【００５８】
本発明においては、漏話を防止するために、それぞれの受信器の前段には、帯域通過フィルタをさらに備える構成としてもよい。
【００５９】
以上、具体的な実施形態に則して本発明を説明したが、形式や細部についての様々な変更が、特許請求の範囲の記載により規定される本発明の精神及び範囲から逸脱することなく行われることが可能であることは、当該技術分野における通常の知識を持つ者には明らかである。したがって、本発明の範囲は、前述の実施形態に限定されるものではなく、特許請求の範囲及びこれと均等なものに基づいて定められるべきである。
【図面の簡単な説明】
【００６０】
【図１Ａ】本発明の実施の形態による、外部光が注入される方式の光源を用いたＷＤＭ−ＰＯＮの上り伝送構造のブロック構成図である。
【図１Ｂ】本発明の実施の形態による、外部光が注入される方式の光源を用いたＷＤＭ−ＰＯＮの上り伝送構造における、相異なる帯域を有する広帯域光源を説明するための図である。
【図２Ａ】本発明の実施の形態による、外部光が注入される方式の光源を用いたＷＤＭ−ＰＯＮの下り伝送構造のブロック構成図である。
【図２Ｂ】本発明の実施の形態による、外部光が注入される方式の光源を用いたＷＤＭ−ＰＯＮの下り伝送構造における、相異なる帯域を有する広帯域光源を説明するための図である。
【図３Ａ】本発明の実施の形態による、外部光が注入される方式の光源を用いたＷＤＭ−ＰＯＮの上り・下り伝送構造のブロック構成図である。
【図３Ｂ】図３Ａの実施の形態による、外部光が注入される方式の光源を用いたＷＤＭ−ＰＯＮの上り・下り伝送構造における、相異なる帯域を有する広帯域光源を説明するための図である。
【図４】図３Ａにおける双方向送受信器（Ｂｉｄｉ）の構成を示すブロック図である。
【符号の説明】
【００６１】
１１２  第１の広帯域光源
１１３  第２の広帯域光源
１０７，１０８，１１４，１１５  インタリーバ
１０９  第２のＷＤＭフィルタ
１１６，１７７  多重化／逆多重化器
１２０  第１のＷＤＭフィルタ
【図１Ａ】
2006217599.tif 000003
【図１Ｂ】
2006217599.tif 000004
【図２Ａ】
2006217599.tif 000005
【図２Ｂ】
2006217599.tif 000006
【図３Ａ】
2006217599.tif 000007
【図３Ｂ】
2006217599.tif 000008
【図４】
2006217599.tif 000009